(57)【要約】【課題】  リモコン装置の取り付け位置を考慮することなく利用者が操作しやすい位置にリモコン装置を設置しても、リモコン装置が送信する無線信号によりトイレ機器や浴室機器の機能を正常に作動させることができるリモコン装置及び同リモコン装置が送信する無線信号に基づいて動作する電子機器及びトイレ機器システム並びに浴室機器システムを提供すること。【解決手段】  壁面に着脱自在に取付けられるリモコン装置に、第１のアンテナと、第２のアンテナとを設けると共に、無線信号を出力する際、所定の条件に従って、第１のアンテナ及び第２のアンテナのうちいずれか一方のアンテナを、無線信号を出力するアンテナとして選択する無線通信部を設け、このリモコン装置が送信する無線信号によりトイレ機器システム又は浴室機器システムを構成する電子機器の機能を作動させる。【選択図】図２
2006229317.tif 000002
【特許請求の範囲】
【請求項１】
無線通信部を有し、壁面に着脱自在に取付けられるリモコン装置において、
前記無線通信部は、第１のアンテナと、第２のアンテナとを備え、
無線信号を出力する際、所定の条件に従って、前記第１のアンテナ及び前記第２のアンテナのうちいずれか一方のアンテナを、前記無線信号を出力するアンテナとして選択することを特徴とするリモコン装置。
【請求項２】
前記第１のアンテナで無線信号を出力したことを前記所定の条件として、前記第２のアンテナを選択し、この第２のアンテナから再度前記無線信号を出力することを特徴とする請求項１に記載のリモコン装置。
【請求項３】
前記無線通信部は、無線受信回路を備え、
前記第１のアンテナから前記無線信号を出力した後所定の期間に、前記無線受信回路がアンテナ指定要求を受信できないことを前記所定の条件として、前記第２のアンテナを選択し、この第２のアンテナから再度前記無線信号を出力することを特徴とする請求項１又は請求項２に記載のリモコン装置。
【請求項４】
前記無線通信部は、無線受信回路を備え、
前記第１又は第２のアンテナから前記無線信号を出力した後、前記無線受信回路が前記アンテナ指定要求を受信できたことを前記所定の条件として、以後前記アンテナ指定要求に対応するアンテナを選択し、この選択したアンテナから前記無線信号を出力することを特徴とする請求項１〜３のいずれか１項に記載のリモコン装置。
【請求項５】
前記無線通信部は、無線受信回路を備え、
前記第１のアンテナから前記無線信号を出力した後、前記無線受信回路がアンテナ切替命令を受信することを前記所定の条件として、前記第２のアンテナを選択し、この第２のアンテナから再度前記無線信号を出力することを特徴とする請求項１に記載のリモコン装置。
【請求項６】
前記第１のアンテナと前記第２のアンテナは、所定間隔をもって配置されることを特徴とする請求項１〜請求項５のいずれか１項に記載のリモコン装置。
【請求項７】
前記第１のアンテナと前記第２のアンテナは、当該リモコン装置の基板の両端部近傍に配置されていることを特徴とする請求項１〜請求項６のいずれか１項に記載のリモコン装置。
【請求項８】
前記第１のアンテナと前記第２のアンテナは、前記基板にパターンアンテナとして配置されていることを特徴とする請求項７に記載のリモコン装置。
【請求項９】
壁面に着脱自在に取付けられる請求項１〜８のいずれか１項に記載のリモコン装置と通信を行う無線通信部を有する電子機器において、
前記無線通信部は、前記リモコン装置から受信した無線信号が所定の電界強度に満たないとき、前記リモコン装置へアンテナの切替命令を送信することを特徴とする電子機器。
【請求項１０】
壁面に着脱自在に取付けられる請求項１〜８のいずれか１項に記載のリモコン装置と通信を行う無線通信部を有する電子機器において、
前記無線通信部は、前記リモコン装置からの無線信号を受信できたとき、前記リモコン装置へアンテナを指定するアンテナ指定要求を送信することを特徴とする電子機器。
【請求項１１】
壁面に着脱自在に取付けられる請求項１〜８のいずれか１項に記載のリモコン装置と通信を行う無線通信部を有する電子機器において、
前記無線通信部は、前記リモコン装置からの無線信号を受信できたとき、前記リモコン装置へその旨を示す確認信号を送信することを特徴とする電子機器。
【請求項１２】
請求項１〜８のいずれか１項に記載のリモコン装置を備えたトイレ機器システム。
【請求項１３】
請求項９〜１１のいずれか１項に記載の電子機器を備えたトイレ機器システム。
【請求項１４】
請求項１〜８のいずれか１項に記載のリモコン装置を備えた浴室機器システム。
【請求項１５】
請求項９〜１１のいずれか１項に記載の電子機器を備えた浴室機器システム。
【発明の詳細な説明】
【技術分野】
【０００１】
本発明は、リモコン装置、及び電子機器、及びトイレ機器システム、及び浴室機器システムに関するものである。
【背景技術】
【０００２】
従来より、トイレの便器には、その快適さから、洗浄機能、乾燥機能、脱臭機能などの各種機能を有する電子機器である洗浄便座装置が取り付けられてきている。そして、このような洗浄便座装置の操作パネルに集約された操作ボタンを利用者が押下することによって、それらの機能が作動するようになっている。
【０００３】
この操作パネルは、これまで、洗浄便座装置と一体に配置されるものが多かったが、最近では、利用者にとっての操作性を向上させるために洗浄便座装置とは別に、トイレブースの壁面に着脱自在にリモコン装置を設け、利用者がこのリモコン装置を操作することによって洗浄便座装置の各種機能を作動させるように構成したものが主流となっている。
【０００４】
このように洗浄便座装置とは別に設けられたリモコン装置は、リモコン装置に設けられている操作ボタンが利用者により操作されると、その操作に応じた赤外線による無線信号を洗浄便座装置へ送信する。
【０００５】
そして、洗浄便座装置は、リモコン装置から送信される無線信号を受信すると、この無線信号に応じて上記した各種機能を作動させるようにしていた。
【０００６】
しかしながら、このようなリモコン装置は、赤外線出力用のＬＥＤを用いて、赤外線による通信を行っていたため、その通信に要する消費電力が大きかった。
【０００７】
しかも、赤外線などの光を用いた通信は、リモコン装置と洗浄便座装置との位置関係や障害物の存在により通信用の光が遮断されて通信ができない事態が発生するので、複数の赤外線出力用のＬＥＤを複数の方向に向けて配置する必要があり、さらに消費電力が大きくなってしまうという問題があった。
【０００８】
そのため、近年では、従来の赤外線による無線信号に替えて、電波による無線信号を用いた無線通信によるトイレ機器システムを利用するものが提案されている（たとえば、特許文献１参照。）。
【０００９】
このような電波を用いたトイレ機器システムは、赤外線通信に比べて消費電力を低減することができ、しかも、リモコン装置の向きや障害物の存在を赤外線通信システムのように考慮する必要がなくなるといった大きな利点がある。
【００１０】
そのため、この電波を用いた無線通信は、トイレ機器システム以外に、浴室機器システムなど、広く利用されている。
【特許文献１】特開２００２−３５３９４３号公報
【発明の開示】
【発明が解決しようとする課題】
【００１１】
ところが、上述の特許文献１に記載されているような、電波を用いて無線通信を行うリモコン装置を洗浄便座装置などのトイレ機器システムに適用した場合には、次のような問題が生じる。
【００１２】
すなわち、電波を用いた無線通信システムの場合、リモコン装置から洗浄便座装置へ無線信号を送信すると、この無線信号が洗浄便座装置やトイレブースの壁面等に反射することにより反射信号が発生する。
【００１３】
このとき、リモコン装置の取付け位置によっては、無線信号と反射信号とが干渉して互いに打ち消し合ってしまい、洗浄便座装置が無線信号を受信できないといった問題が生じる。
【００１４】
このような問題を解決するには、リモコン装置の取付け位置を洗浄便座装置が最も良好に無線信号を受信でき、かつ、利用者がリモコン装置を操作しやすい位置にする必要があった。
【００１５】
しかし、トイレブースのような比較的狭い空間の中で利用者が操作しやすい場所は限られており、この限られた場所の中で、リモコン装置の取付け位置を何度も変更しながら、その都度、洗浄便座装置による無線信号の受信状態を測定することにより、洗浄便座装置が最も良好に無線信号を受信できるリモコン装置の設置位置を決定する作業は非常に煩雑であった。
【００１６】
しかも、せっかく洗浄便座装置が最も良好に無線信号を受信できる位置にリモコン装置を取付けたとしても、利用者がリモコン装置を手に取って操作した場合には、リモコン装置と洗浄便座装置との位置関係が変わってしまう。
【００１７】
この場合、リモコン装置と洗浄便座装置との位置関係によっては、無線信号と反射信号とが互いに打ち消し合ってしまい、利用者がリモコン装置を操作しても洗浄便座装置の機能を正常に作動させることができないという問題が生じるおそれがあった。
【００１８】
そこで、本発明は、このような問題が生じないリモコン装置、及びこのリモコン装置からの無線信号を受信して動作する電子機器、及びこれらリモコン装置と電子機器とを用いたトイレ機器システム、及び浴室機器システムを提供することを目的とする。
【課題を解決するための手段】
【００１９】
そこで、請求項１に係る本発明では、無線通信部を有し、壁面に着脱自在に取付けられるリモコン装置において、無線通信部は、第１のアンテナと、第２のアンテナとを備え、無線信号を出力する際、所定の条件に従って、前記第１のアンテナ及び前記第２のアンテナのうちいずれか一方のアンテナを、前記無線信号を出力するアンテナとして選択することを特徴とする。
【００２０】
また、請求項２に係る本発明では、請求項１に記載のリモコン装置において、第１のアンテナで無線信号を出力したことを所定の条件として、第２のアンテナを選択し、この第２のアンテナから再度無線信号を出力することを特徴とする。
【００２１】
また、請求項３に係る本発明では、請求項１又は請求項２に記載のリモコン装置において、無線通信部は、無線受信回路を備え、第１のアンテナから無線信号を出力した後所定の期間に、無線受信回路がアンテナ指定要求を受信できないことを所定の条件として、第２のアンテナを選択し、この第２のアンテナから再度無線信号を出力することを特徴とする。
【００２２】
また、請求項４に係る本発明では、請求項１〜３のいずれか１項に記載のリモコン装置において、無線通信部は、無線受信回路を備え、第１又は第２のアンテナから無線信号を出力した後、無線受信回路がアンテナ指定要求を受信できたことを所定の条件として、以後アンテナ指定要求に対応するアンテナを選択し、この選択したアンテナから無線信号を出力することを特徴とする。
【００２３】
また、請求項５に係る本発明では、請求項１に記載のリモコン装置において、無線通信部は、無線受信回路を備え、第１のアンテナから無線信号を出力した後、無線受信回路がアンテナ切替命令を受信することを所定の条件として、第２のアンテナを選択し、この第２のアンテナから再度無線信号を出力することを特徴とする。
【００２４】
また、請求項６に係る本発明では、請求項１〜請求項５のいずれか１項に記載のリモコン装置において、第１のアンテナと第２のアンテナは、所定間隔をもって配置されることを特徴とする。
【００２５】
また、請求項７に係る本発明では、請求項１〜請求項６のいずれか１項に記載のリモコン装置において、第１のアンテナと前記第２のアンテナは、当該リモコン装置の基板の両端部近傍に配置されていることとした。
【００２６】
また、請求項８に係る本発明では、請求項７に記載のリモコン装置において、第１のアンテナと第２のアンテナは、基板にパターンアンテナとして配置されていることとした。
【００２７】
また、請求項９に係る本発明では、壁面に着脱自在に取付けられる請求項１〜８のいずれか１項に記載のリモコン装置と通信を行う無線通信部を有する電子機器において、無線通信部は、リモコン装置から受信した無線信号が所定の電界強度に満たないとき、リモコン装置へアンテナの切替命令を送信することを特徴とする。
【００２８】
また、請求項１０に係る本発明では、壁面に着脱自在に取付けられる請求項１〜８のいずれか１項に記載のリモコン装置と通信を行う無線通信部を有する電子機器において、無線通信部は、リモコン装置からの無線信号を受信できたとき、リモコン装置へアンテナを指定するアンテナ指定要求を送信することを特徴とする。
【００２９】
また、請求項１１に係る本発明では、壁面に着脱自在に取付けられる請求項１〜８のいずれか１項に記載のリモコン装置と通信を行う無線通信部を有する電子機器において、無線通信部は、リモコン装置からの無線信号を受信できたとき、リモコン装置へその旨を示す確認信号を送信することを特徴とする。
【００３０】
また、請求項１２に係る本発明では、請求項１〜８のいずれか１項に記載のリモコン装置を備えたトイレ機器システムを提供することとした。
【００３１】
また、請求項１３に係る本発明では、請求項９〜１１のいずれか１項に記載の電子機器を備えたトイレ機器システムを提供することとした。
【００３２】
また、請求項１４に係る本発明では、請求項１〜８のいずれか１項に記載のリモコン装置を備えた浴室機器システムを提供することとした。
【００３３】
また、請求項１５に係る本発明では、請求項９〜１１のいずれか１項に記載の電子機器を備えた浴室機器システムを提供することとした。
【発明の効果】
【００３４】
本発明によれば、以下に記載するような効果を奏する。
【００３５】
請求項１に係る本発明では、無線通信部を有し、壁面に着脱自在に取付けられるリモコン装置において、無線通信部は、第１のアンテナと、第２のアンテナとを備え、無線信号を出力する際、所定の条件に従って、前記第１のアンテナ及び前記第２のアンテナのうちいずれか一方のアンテナを、前記無線信号を出力するアンテナとして選択することとしたため、使用者が操作しやすい壁面の任意の位置にリモコン装置を配置しても、良好な無線通信を行うことができるリモコン装置とすることができる。
【００３６】
また、請求項２に係る本発明では、請求項１に記載のリモコン装置において、第１のアンテナで無線信号を出力したことを所定の条件として、第２のアンテナを選択し、この第２のアンテナから再度無線信号を出力することとしたため、第１のアンテナと第２のアンテナとから送信される無線信号のうち、少なくともいずれか一方のアンテナから送信した無線信号を、この無線信号を受信する電子機器に確実に受信させることができ、良好な無線通信を行うことができる。
【００３７】
また、請求項３に係る本発明では、請求項１又は請求項２に記載のリモコン装置において、無線通信部は、無線受信回路を備え、第１のアンテナから無線信号を出力した後所定の期間に、無線受信回路がアンテナ指定要求を受信できないことを所定の条件として、第２のアンテナを選択し、この第２のアンテナから再度無線信号を出力することとしたため、リモコン装置から送信した無線信号が、この無線信号を受信する側の電子機器に受信されていないことを確実に検出して、無線通信に適切なアンテナを選択することにより、良好な無線通信を行うことができる。
【００３８】
また、請求項４に係る本発明では、請求項１〜のいずれか１項に記載のリモコン装置において、無線通信部は、無線受信回路を備え、第１又は第２のアンテナから無線信号を出力した後、無線受信回路がアンテナ指定要求を受信できたことを所定の条件として、以後アンテナ指定要求に対応するアンテナを選択し、この選択したアンテナから無線信号を出力することとしたため、リモコン装置では、無線信号を受信する側の電子機器から指定されたアンテナを選択して良好な無線通信を行うことができる。
【００３９】
また、請求項５に係る本発明では、請求項１に記載のリモコン装置において、無線通信部は、無線受信回路を備え、第１のアンテナから無線信号を出力した後、無線受信回路がアンテナ切替命令を受信することを所定の条件として、第２のアンテナを選択し、この第２のアンテナから再度無線信号を出力することとしたため、リモコン装置から送信した無線信号が、この無線信号を受信する側の電子機器に受信されていないことを確実に検出して、無線通信に適切なアンテナを選択することにより、良好な無線通信を行うことができる。
【００４０】
また、請求項６に係る本発明では、請求項１〜請求項５のいずれか１項に記載のリモコン装置において、第１のアンテナと第２のアンテナは、所定間隔をもって配置されることとしたため、リモコン装置では、第1のアンテナと第２のアンテナのうち、無線信号を受信する側の電子機器の受信状態がより良い方のアンテナを選択することにより、良好な無線通信を行うことができる。
【００４１】
また、請求項７に係る本発明では、請求項１〜請求項６のいずれか１項に記載のリモコン装置において、第１のアンテナと前記第２のアンテナは、当該リモコン装置の基板の両端部近傍に配置されていることとしたため、第１のアンテナと第２のアンテナとの間隔を可及的に大きくすることができるので、無線通信に用いるアンテナを切替えるだけで、リモコン装置の位置を壁面の任意の位置に設定しても、良好な無線通信を行うことができる。
【００４２】
また、請求項８に係る本発明では、請求項７に記載のリモコン装置において、第１のアンテナと第２のアンテナは、基板にパターンアンテナとして配置されていることとしたため、基板に無線通信用の回路パターンを形成する際に、第１のアンテナと第２のアンテナとを同時に形成することができ、良好な無線通信を行うことができるアンテナを容易に形成することができる。
【００４３】
また、請求項９に係る本発明では、壁面に着脱自在に取付けられる請求項１〜８のいずれか１項に記載のリモコン装置と通信を行う無線通信部を有する電子機器において、無線通信部は、リモコン装置から受信した無線信号が所定の電界強度に満たないとき、リモコン装置へアンテナの切替命令を送信することとしたため、リモコン装置側が不適切なアンテナを選択して無線信号を送信し続けることを未然に防止して、良好な無線通信を行うことができる。
【００４４】
また、請求項１０に係る本発明では、壁面に着脱自在に取付けられる請求項１〜８のいずれか１項に記載のリモコン装置と通信を行う無線通信部を有する電子機器において、無線通信部は、リモコン装置からの無線信号を受信できたとき、リモコン装置へアンテナを指定するアンテナ指定要求を送信することとしたため、リモコン装置は、電子機器から指定されるアンテナを選択して無線信号の送信を行うことができるので、良好な無線通信を行うことができる。
【００４５】
また、請求項１１に係る本発明では、壁面に着脱自在に取付けられる請求項１〜８のいずれか１項に記載のリモコン装置と通信を行う無線通信部を有する電子機器において、無線通信部は、リモコン装置からの無線信号を受信できたとき、リモコン装置へその旨を示す確認信号を送信することとしたため、リモコン装置は、電子機器がリモコン装置からの無線信号を受信できた旨の確認信号を受信したときに、電子機器への無線信号の送信を停止することができるので、不必要に無線信号を送信することがなくなり、無線信号の送信に要する電力を必要最小限に抑えることができる。
【００４６】
また、請求項１２に係る本発明では、請求項１〜８のいずれか１項に記載のリモコン装置を備えたトイレ機器システムを提供することとしたため、トイレブースの壁面で使用者が操作しやすい任意の位置にリモコン装置を取付けても、常に良好な無線通信を行うことができる。
【００４７】
また、請求項１３に係る本発明では、請求項９〜１１のいずれか１項に記載の電子機器を備えたトイレ機器システムを提供することとしたため、トイレブースの壁面で使用者が操作しやすい任意の位置にリモコン装置を取付けても、常に良好な無線通信を行うことができる。
【００４８】
また、請求項１４に係る本発明では、請求項１〜８のいずれか１項に記載のリモコン装置を備えた浴室機器システムを提供することとしたため、浴室の壁面で、使用者が操作しやすい任意の位置にリモコン装置を取付けても、常に良好な無線通信を行うことができる。
【００４９】
また、請求項１５に係る本発明では、請求項９〜１１のいずれか１項に記載の電子機器を備えた浴室機器システムを提供することとしたため、浴室の壁面で、使用者が操作しやすい任意の位置にリモコン装置を取付けても、常に良好な無線通信を行うことができる。
【発明を実施するための最良の形態】
【００５０】
以下、本発明の実施の形態について、図面を参照して具体的に説明する。
【００５１】
なお、以下の説明において、第１〜第５実施形態は、本発明を適用したトイレ機器システムの実施形態であり、第６実施形態は、本発明を適用した浴室機器システムの実施形態である。
【００５２】
（第１実施形態）
図１に示すように、トイレ機器システムＳは、トイレブース内の便器３に設置した洗浄便座装置１と、トイレブース内の壁面７に着脱自在に設置したリモコン装置２とから構成している。
【００５３】
この洗浄便座装置１は洗浄機能、乾燥機能、脱臭機能などの各種機能を有する電子機器であり、洗浄便座装置本体４と、この洗浄便座装置本体４に回動自在に連結した便座５と、同じく洗浄便座装置本体４に回動自在に連結した便蓋６とを備えている。
【００５４】
また、リモコン装置２は、洗浄便座装置１の各種機能を作動させるための複数の操作ボタンを備えている。
【００５５】
これら洗浄便座装置１及びリモコン装置２の各内部には、洗浄便座装置１とリモコン装置２との相互間で、電波を用いた無線通信を可能とする無線通信部を備えている。
【００５６】
なお、以下の説明では、リモコン装置２の無線通信部をリモコン無線通信部８と称し、洗浄便座装置１の無線通信部を本体無線通信部９と称することとする。
【００５７】
そして、リモコン装置２の操作ボタンが利用者によって操作されると、リモコン無線通信部８が、利用者の操作に応じて洗浄便座装置１の各種機能を作動させる制御情報含んだ信号（以下「無線信号Ｓ１」という。）を本体無線通信部９に送信する（図２参照）。
【００５８】
そして、洗浄便座装置１側は、この無線信号Ｓ１を受信し、受信した無線信号Ｓ１に応じて洗浄便座装置１の各種機能を作動させるようにしている。
【００５９】
リモコン無線通信部８は、図２に示すように、制御回路２０と、第１のアンテナＡ１と、第２のアンテナＡ２と、整合回路１０と、無線送信回路１１と、スイッチ回路１５とを備えている。
【００６０】
リモコン無線通信部８の制御回路２０は、リモコン制御回路１４と、スイッチ制御回路１６とから構成している。
【００６１】
リモコン制御回路１４は、利用者によるリモコン装置２の操作に応じてリモコン無線通信部８の無線送信回路１１及びスイッチ制御回路１６の動作を制御する他、リモコン装置を構成する他の電子回路の動作を制御する回路である。
【００６２】
スイッチ制御回路１６は、リモコン制御回路１４の制御に基づいてリモコン無線通信部８のスイッチ回路１５を駆動させる回路であり、第１のアンテナＡ１及び第２のアンテナＡ２のうち、いずれか一方のアンテナと無線送信回路１１とを接続する制御を行う。
【００６３】
リモコン無線通信部８の無線送信回路１１は、リモコン制御回路１４の制御に基づいて動作し、第１のアンテナＡ１又は第２のアンテナＡ２を介して本体無線通信部９へ無線信号Ｓ１を送信する回路である。
【００６４】
なお、リモコン無線通信部８の整合回路１０は、第１のアンテナＡ１及び第２のアンテナＡ２のインピーダンスの整合をとるために抵抗と容量とコイルとにより構成した回路である。
【００６５】
また、第１のアンテナＡ１及び第２のアンテナＡ２は、図３に示すように、リモコン装置２の内部に備えている基板１８上に所定の間隔を空けて設けるようにしている。
【００６６】
これら第１のアンテナＡ１と第２のアンテナＡ２との間隔の理想条件としては、リモコン装置２と洗浄便座装置１との間に障害物がなく、無線信号Ｓ１として周波数が３００ＭＨｚ、波長が１mの電波信号を用い、この無線信号Ｓ１がリモコン装置２から洗浄便座装置１へ直線的に到達すると仮定した場合に、以下のように配置することである。
【００６７】
すなわち、第１のアンテナＡ１と第２のアンテナＡ２とは、第１のアンテナＡ１から洗浄便座装置１に設ける本体側アンテナＡａまでの距離と、第２のアンテナＡ２から洗浄便座装置１に設ける本体側アンテナＡａまでの距離との差が、無線信号Ｓ１の１/４波長である２５cmとなるように間隔を空けて配置する。
【００６８】
このように第１のアンテナＡ１と第２のアンテナＡ２とを配置すると、たとえ、リモコン装置２から洗浄便座装置１へ送信される無線信号Ｓ１（進行波）と、この進行波の反射波とが重畳して定在波が発生しても、第１のアンテナＡ１と本体側アンテナＡａとの間に生じる定在波と、第２のアンテナＡ２と本体側アンテナＡａとの間に生じる定在波とのうち、少なくとも一方の定在波は、本体側アンテナＡａの位置で節（定在波の振幅がない位置）となることがない。
【００６９】
これにより、無線通信を行う際に、リモコン無線通信部８の制御回路２０の制御により、第１のアンテナＡ１と第２のアンテナＡ２とのうち、いずれか一方のアンテナを選択して無線信号Ｓ１を送信することで、リモコン装置２の取付け位置を変更することなく、リモコン装置２と洗浄便座装置１との位置関係を変更することと等しい効果を奏することができる。
【００７０】
すなわち、第１のアンテナＡ１と第２のアンテナＡ２のうちのいずれかの一方のアンテナと洗浄便座装置１との位置関係に起因して、本体無線通信部９がこの無線信号Ｓ１を正常に受信できない場合であっても、リモコン無線通信部８で無線通信に用いるアンテナを他方のアンテナに切替えることにより、無線信号Ｓ１を送信するアンテナと洗浄便座装置１との位置関係を変更することができるので、本体無線通信部９が無線信号Ｓ１を受信できるようになり、良好な無線通信を行うことができる。
【００７１】
また、これら第１のアンテナＡ１と第２のアンテナＡ２とは、本体無線通信部９を構成する基板１８の両端近傍に配置することも望ましい。
【００７２】
こうすることにより、リモコン装置２の内部で第１のアンテナＡ１と第２のアンテナＡ２との離隔距離を可及的に大きくすることができる。
【００７３】
また、第１のアンテＡ１及び第２のアンテナＡ２は、基板１８上に導電性の部材をパターニングしたパターンアンテナとして配置している。
【００７４】
そのため、基板１８上にリモコン無線通信部８の回路パターンを形成する際、この回路パターンと第１のアンテナＡ１と第２のアンテナＡ２とを同時に形成することができ、良好な無線通信を行うことができるアンテナを容易に形成することができる。
【００７５】
また、本体無線通信部９は、本体コントローラ１９と、無線受信回路１２aと、整合回路１０aと、本体側アンテナＡａとを備えている。
【００７６】
本体無線通信部９の無線受信回路１２aは、リモコン無線通信部８から送信される無線信号Ｓ１を受信する回路である。
【００７７】
本体コントローラ１９は、本体無線通信部９の無線受信回路１２aにより受信した無線信号Ｓ１に基づいて、洗浄便座装置１の各種機能を作動させる制御を行う他、本体無線通信部９を構成する各回路の動作を制御する。
【００７８】
なお、本体無線通信部９の整合回路１０aは、本体側アンテナＡａのインピーダンスの整合をとるために抵抗と容量とコイルとにより構成した回路である。
【００７９】
このように構成したトイレ機器システムＳにおいて、リモコン無線通信部８は、図４のタイミングチャートに示すように動作する。
【００８０】
すなわち、利用者によりリモコン装置２の操作ボタンが操作されると、リモコン無線通信部８の制御回路２０は、第１のアンテナを選択する。すなわち、リモコン無線通信部８のスイッチ回路１５を駆動させて、無線送信回路１１と第１のアンテナＡ１とを接続する制御を行う。
【００８１】
そして、リモコン無線通信部８の無線送信回路１１は、リモコン制御回路１４の制御に従って、利用者による操作ボタンの操作に応じた無線信号Ｓ１を第１のアンテナＡ１を介して本体無線通信部９へ送信する。
【００８２】
このとき、リモコン無線通信部８の無線送信回路１１は、利用者による操作ボタンの操作に対応した同一の制御情報を含んだ信号（以下「同一の無線信号Ｓ１」という。）を所定のタイミングで５回繰り返して送信する。
【００８３】
その後、リモコン無線通信部８の制御回路２０は、第２のアンテナＡ２を選択する。すなわち、リモコン無線通信部８のスイッチ回路１５を駆動させて、無線送信回路１１と第２のアンテナＡ２とを接続する制御を行う。
【００８４】
そして、リモコン無線通信部８の無線送信回路１１は、リモコン制御回路１４の制御に従って、無線信号Ｓ１を第２のアンテナＡ２を介して本体無線通信部９へ送信する。
【００８５】
このときリモコン無線通信部８の無線送信回路１１は、先程第１のアンテナＡ１を介して送信した無線信号Ｓ１と同一の無線信号Ｓ１を所定のタイミングで５回繰り返して送信する。
【００８６】
本体無線通信部９は、リモコン無線通信部８が第１のアンテナＡ１と第２のアンテナＡ２とから５回ずつ繰り返して交互に送信する無線信号Ｓ１のうち、受信可能な方の無線信号Ｓ１を本体無線通信部９の無線受信回路１２aにより受信する。
【００８７】
そして、本体コントローラ１９は、本体無線通信部９の無線受信回路１２aにより受信した無線信号Ｓ１に基づいて洗浄便座装置１の各種機能を作動させる。
【００８８】
このように、リモコン無線通信部８では、第１のアンテナＡ１から無線信号Ｓ１を送信した後に、この無線信号Ｓ１と同一の無線信号Ｓ１を第２のアンテナＡ２から送信するようにしている。
【００８９】
そのため、本体無線通信部９は、第１のアンテナＡ１又は第２のアンテナＡ２から送信される無線信号Ｓ１のうち、少なくともいずれか一方アンテナから送信される無線信号Ｓ１を受信することができる。
【００９０】
これにより、リモコン装置２が一方のアンテナを介して送信した無線信号Ｓ１と、この無線信号Ｓ１がトイレブース内の任意の物体に反射して生じた反射信号とが干渉して、互いの信号を打ち消し合うような事態が発生しても、本体無線通信部９は、リモコン装置２が他方のアンテナを選択して送信した無線信号Ｓ１の方を受信できるので、良好な無線通信を行うことができる。
【００９１】
その結果、トイレブース内で利用者が操作しやすい任意の位置にリモコン装置２を取り付けても、リモコン無線通信部８の無線送信回路１１に接続するアンテナ切替えるだけで、良好な無線通信を行うことができるので、煩雑な作業を要することなく容易にリモコン装置２の取付け位置を決定することができる。
【００９２】
（第２実施形態）
第２実施形態において、リモコン無線通信部８及び本体無線通信部９は第１実施形態と同様の構成とするが、リモコン無線通信部８の制御回路２０によるスイッチ回路１５及び無線送信回路１１の制御の仕方が異なる。
【００９３】
すなわち、リモコン無線通信部８の制御回路２０は、図５のタイミングチャートに示すように、利用者によりリモコン装置２の操作ボタンが操作されると、第１のアンテナＡ１を選択する。すなわち、リモコン無線通信部８のスイッチ回路１５を駆動させて、無線送信回路１１と第１のアンテナＡ１とを接続する制御を行う。
【００９４】
そして、リモコン無線通信部８の無線送信回路１１は、リモコン制御回路１４の制御に従って、利用者による操作ボタンの操作に応じた無線信号Ｓ１を第１のアンテナＡ１を介して本体無線通信部９へ送信する。
【００９５】
次に、リモコン無線通信部８の制御回路２０は、第２のアンテナＡ２を選択する。すなわち、リモコン無線通信部８のスイッチ回路１５を駆動させて、無線送信回路１１と第２のアンテナＡ２とを接続する制御を行う。
【００９６】
そして、リモコン無線通信部８の無線送信回路１１は、リモコン制御回路１４の制御に従って、無線信号Ｓ１を第２のアンテナＡ２を介して本体無線通信部９へ送信する。
【００９７】
このときリモコン無線通信部８の無線送信回路１１は、先程第１のアンテナＡ１を介して送信した無線信号Ｓ１と同一の無線信号Ｓ１を送信する。
【００９８】
その後、リモコン無線通信部８の制御回路２０は、所定時間間隔で第１のアンテナＡ１と第２のアンテナＡ２とを順次切替えて無線送信回路１１に接続しながら本体無線通信部９へ同一の無線信号Ｓ１を送信する制御を行う。
【００９９】
つまり、リモコン無線通信部８は、第１のアンテナＡ１と第２のアンテナＡ２とから同一の無線信号Ｓ１を所定の時間間隔で交互に送信するようにしている。
【０１００】
本体無線通信部９は、リモコン無線通信部８が第１のアンテナＡ１と第２のアンテナＡ２とから交互に送信する無線信号Ｓ１のうち、受信可能な方の無線信号Ｓ１を、本体側アンテナＡａを介して無線受信回路１２aにより受信する。
【０１０１】
そして、本体コントローラ１９は、本体無線通信部９の無線受信回路１２aにより受信した無線信号Ｓ１に基づいて洗浄便座装置１の各種機能を作動させる。
【０１０２】
そのため、本体無線通信部９は、第１のアンテナＡ１又は第２のアンテナＡ２から送信される無線信号Ｓ１のうち、少なくともいずれか一方の無線信号Ｓ１を確実に受信することができる。
【０１０３】
さらに、第２実施形態に係るリモコン無線通信部８は、無線信号Ｓ１を１回送信する毎にアンテナの切り替えを行うようにしているので、本体無線通信部９が無線信号Ｓ１を受信するまでに無線信号Ｓ１を送信する回数を必要最小限に抑えることができる。
【０１０４】
これにより、リモコン装置２の消費電力を低減することができ、リモコン装置２のバッテリーの交換回数を減少させることができる。
【０１０５】
（第３実施形態）
第３実施形態におけるリモコン無線通信部８は、第１及び第２実施形態に記載したリモコン無線通信部８と同様に、無線信号Ｓ１を送信する無線送信機能を備えており、さらに、本体無線通信部９から送信される無線信号Ｓ２を受信する無線受信機能を備えている。
【０１０６】
そのため、このリモコン無線通信部８は、図６に示すように、第１実施形態に記載したリモコン無線通信部８に加えて、無線受信回路１２と、受信信号強度検出回路１３とを備えている。
【０１０７】
リモコン無線通信部８の無線受信回路１２は、本体無線通信部９が送信する無線信号Ｓ２を第１のアンテナＡ１又は第２のアンテナＡ２を介して受信し、リモコン無線通信部８の受信信号強度検出回路１３とリモコン制御回路１４とに入力する回路である。
【０１０８】
リモコン無線通信部８の受信信号強度検出回路１３は、リモコン無線通信部８の無線受信回路１２により受信した無線信号Ｓ２の電界強度を検出し、その検出結果をリモコン制御回路１４に入力する回路である。
【０１０９】
また、本体無線通信部９は、第１及び第２実施形態に記載した本体無線通信部９と同様に、リモコン無線通信部８からの無線信号Ｓ１を受信する無線受信機能を備えており、さらに、リモコン無線通信部８に無線信号Ｓ２を送信する無線送信機能を備えている。
【０１１０】
そのため、この本体無線通信部９は、図６に示すように、第１実施形態に記載の本体無線通信部９における本体コントローラ１９の代わりに制御回路２１を備えており、さらに、この本体無線通信部９の制御回路２１の制御によって動作する無線送信回路１１aと、受信信号強度検出回路１３aとを備えている。
【０１１１】
本体無線通信部９の無線送信回路１１aは、本体無線通信部９の制御回路２１による制御に従って、無線信号Ｓ２をリモコン無線通信部８へ送信する回路である。
【０１１２】
本体無線通信部９の受信信号強度検出回路１３aは、本体無線通信部９の無線受信回路１２aにより受信した無線信号Ｓ１の電界強度を検出し、その検出結果を本体無線通信部９の制御回路２１へ入力する回路である。
【０１１３】
なお、図６において、図２に示すリモコン無線通信部８及び本体無線通信部９の構成要素と同様の構成要素については同一の符号を付してその説明を省略する。
【０１１４】
このように構成したリモコン無線通信部８及び本体無線通信部９は、図７のタイミングチャートに示すように動作する。
【０１１５】
すなわち、リモコン無線通信部８の制御回路２０は、利用者によりリモコン装置２の操作ボタンが操作されると、第１のアンテナを選択する。すなわち、リモコン無線通信部８のスイッチ回路１５を駆動させて、無線送信回路１１と第１のアンテナＡ１とを接続する制御を行う。
【０１１６】
そして、リモコン無線通信部８の無線送信回路１１は、リモコン無線通信部８の制御回路２０の制御に従って、無線信号Ｓ１を第１のアンテナＡ１を介して本体無線通信部９へ送信する。
【０１１７】
このとき、リモコン無線通信部８の無線送信回路１１は、同一の無線信号Ｓ１を所定のタイミングで５回繰り返して送信する。
【０１１８】
本体無線通信部９は、リモコン無線通信部８から送信される無線信号Ｓ１を本体無線通信部９の無線受信回路１２aにより受信する。
【０１１９】
本体無線通信部９の無線受信回路１２aは、受信した無線信号Ｓ１を本体無線通信部９の受信信号強度検出回路１３aと本体無線通信部９の制御回路２１とに入力する。
【０１２０】
本体無線通信部９の受信信号強度検出回路１３aは、無線信号Ｓ１の電界強度を検出し、その検出結果を本体無線通信部９の制御回路２１に入力する。
【０１２１】
本体無線通信部９の制御回路２１は、受信信号強度検出回路１３aにより検出した無線信号Ｓ１の電界強度の値と、予め設定しておいた閾値との比較を行う。
【０１２２】
そして、本体無線通信部９の制御回路２１は、無線信号Ｓ１の電界強度の値が閾値よりも高い場合に、この無線信号Ｓ１が受信に十分な電界強度であると判断して、本体無線通信部９の無線送信回路１１aを動作させ、リモコン装置２へアンテナを指定する無線信号Ｓ２としてアンテナ指定要求を送信する。
【０１２３】
しかし、ここでは、図７に示すように、第１のアンテナＡ１から出力される無線信号Ｓ１の電界強度が閾値よりも低いため、本体無線通信部９の制御回路２１は、リモコン無線通信部８に対してアンテナ指定要求を送信しないようにしている。
【０１２４】
そして、リモコン無線通信部８は、第１のアンテナＡ１を介して同一の無線信号Ｓ１を５回繰り返し送信した後、所定時間が経過しても本体無線通信部９からのアンテナ指定要求を受信できないときに、第１実施形態におけるリモコン無線通信部８と同様に、アンテナの切り替えを行う。
【０１２５】
このとき、リモコン無線通信部８の制御回路２０は、第２のアンテナＡ２を選択する。すなわち、リモコン無線通信部８のスイッチ回路１５を駆動させて、無線送信回路１１と第１のアンテナＡ１との接続を開放して、無線送信回路１１と接続していない第２のアンテナＡ２をこの無線送信回路１１に接続する制御を行う。
【０１２６】
そして、リモコン無線通信部８の無線送信回路１１は、リモコン制御回路１４の制御に従って、無線信号Ｓ１を第２のアンテナＡ２を介して本体無線通信部９へ送信する。
【０１２７】
このとき無線送信回路１１は、先程第１のアンテナＡ１を介して送信した無線信号Ｓ１と同一の無線信号Ｓ１を所定のタイミングで５回繰り返して送信する。
【０１２８】
そして、本体無線通信部９は、この無線信号Ｓ１を受信する。
【０１２９】
ここで、本体無線通信部９の制御回路２１は、図７に示すように、受信した無線信号Ｓ１の電界強度の値が閾値よりも高いため、無線信号Ｓ１が受信に十分な電界強度であると判断して、本体無線通信部９の無線送信回路１１aを動作させ、リモコン無線通信部８へアンテナ指定要求を送信する。
【０１３０】
リモコン無線通信部８の制御回路２０は、このアンテナ指定要求を受信すると、このアンテナ指定要求に対応した第２のアンテナＡ２と、リモコン無線通信部８の無線送信回路１１との接続を維持する制御を行う。
【０１３１】
そして、再び利用者によりリモコン装置２の操作ボタンが操作された場合に、リモコン無線通信部８の制御回路２０は、リモコン無線通信部８の無線送信回路１１との接続状態を維持している第２のアンテナＡ２を介して、本体無線通信部９へ無線信号Ｓ１を送信するようにしている。
【０１３２】
このように、リモコン無線通信部８の制御回路２０は、本体無線通信部９が十分な電界強度の無線信号Ｓ１を受信できたときに送信するアンテナ指定要求に対応したアンテナと、リモコン無線通信部８の無線送信回路１１とを接続して無線通信を行う制御を行う。
【０１３３】
そのため、リモコン装置２から洗浄便座装置１へ確実に無線信号Ｓ１を送信することができる。
【０１３４】
また、利用者がリモコン装置２を手に取って操作する場合のように、リモコン装置２と洗浄便座装置１との位置関係が変化した場合であっても、リモコン無線通信部８は、本体無線通信部９から新たに送信されるアンテナ指定要求に対応したアンテナを選択して無線信号Ｓ１を送信することができるので、リモコン装置２と洗浄便座装置１との間で、常に良好な無線通信を行うことができる。
【０１３５】
また、この本体無線通信部９は、十分な電界強度の無線信号Ｓ１を受信できたときに、その旨を示す確認信号を無線信号Ｓ２としてリモコン無線通信部８へ送信するように構成することもできる。
【０１３６】
このように本体無線通信部９を構成した場合には、リモコン無線通信部８は、この無線信号Ｓ２を受信したときに、本体無線通信部９が無線信号Ｓ１を正常に受信したと判断して、無線信号Ｓ１の送信を停止することができる。
【０１３７】
これにより、リモコン無線通信部８は、無線信号Ｓ１の送信回数を最小限に抑えることができるので、リモコン装置２の消費電力を低減することができる。
【０１３８】
（第４実施形態）
第４実施形態において、リモコン無線通信部８及び本体無線通信部９は第３実施形態と同様の構成とするが、リモコン無線通信部８の制御回路２０によるスイッチ回路１５及び無線送信回路１１の制御の仕方と、本体無線通信部９の制御回路２１による無線送信回路１１aの制御の仕方が異なる。
【０１３９】
すなわち、リモコン無線通信部８の制御回路２０は、図８のタイミングチャートに示すように、利用者によりリモコン装置２の操作ボタンが操作されると、第１のアンテナＡ１を選択する。すなわち、リモコン無線通信部８のスイッチ回路１５を駆動させて、無線送信回路１１と第１のアンテナＡ１とを接続する制御を行う。
【０１４０】
そして、リモコン無線通信部８の無線送信回路１１は、リモコン制御回路１４の制御に従って、無線信号Ｓ１を第１のアンテナＡ１を介して本体無線通信部９へ送信する。
【０１４１】
このとき、リモコン無線通信部８の無線送信回路１１は、同一の無線信号Ｓ１を所定のタイミングで５回繰り返して送信する。
【０１４２】
本体無線通信部９は、この無線信号Ｓ１を本体無線通信部９の無線受信回路１２aにより受信する。
【０１４３】
本体無線通信部９の無線受信回路１２aは、受信した無線信号Ｓ１を本体無線通信部９の受信信号強度検出回路１３aと制御回路２１とに入力する。
【０１４４】
本体無線通信部９の受信信号強度検出回路１３aは、無線信号Ｓ１の電界強度を検出し、その検出結果を本体無線通信部９の制御回路２１に入力する。
【０１４５】
本体無線通信部９の制御回路２１は、受信信号強度検出回路１３aにより検出した無線信号Ｓ１の電界強度の値と、予め設定しておいた閾値との比較を行う。
【０１４６】
このとき、本体無線通信部９の制御回路２１は、無線信号Ｓ１の電界強度の値が閾値よりも低いので、この無線信号Ｓ１が受信に十分な電界強度ではないと判断して、本体無線通信部９の無線送信回路１１aを動作させ、リモコン無線通信部８へアンテナの切替えを指示する無線信号Ｓ２としてアンテナ切替命令を送信する制御を行う。
【０１４７】
リモコン無線通信部８の制御回路２０は、このアンテナ切替命令を受信すると、アンテナの切り替えを行う制御を行う。
【０１４８】
このとき、リモコン無線通信部８の制御回路２０は、第２のアンテナＡ２を選択する。すなわち、リモコン無線通信部８のスイッチ回路１５を駆動させて、無線送信回路１１と第１のアンテナＡ１との接続を解除し、無線送信回路１１と接続していない第２のアンテナＡ２をこの無線送信回路１１に接続する制御を行う。
【０１４９】
そして、リモコン無線通信部８の無線送信回路１１は、制御回路２０の制御に従って、無線信号Ｓ１を第２のアンテナＡ２を介して本体無線通信部９へ送信する。
【０１５０】
このときリモコン無線通信部８の無線送信回路１１は、先程第１のアンテナＡ１を介して送信した無線信号Ｓ１と同一の無線信号Ｓ１を所定のタイミングで５回繰り返して送信する。
【０１５１】
そして、本体無線通信部９は、この無線信号Ｓ１を受信する。
【０１５２】
ここで、本体無線通信部９の制御回路２１は、図８に示すように、受信した無線信号Ｓ１の電界強度の値が閾値よりも高いため、無線信号Ｓ１が受信に十分な電界強度であると判断して、リモコン無線通信部８へアンテナ切替命令を送信しない。
【０１５３】
そのため、リモコン無線通信部８の制御回路２０は、第２のアンテナＡ２を介して無線信号Ｓ１を５回繰り返し送信した後、所定時間が経過しても本体無線通信部９からのアンテナ指定要求を受信しないので、リモコン無線通信部８の無線送信回路１１と第２のアンテナＡ２との接続を維持する制御を行う。
【０１５４】
そして、再び利用者によりリモコン装置２の操作ボタンが操作された場合に、リモコン無線通信部８の制御回路２０は、無線送信回路１１との接続状態を維持している第２のアンテナＡ２を選択して無線信号Ｓ１を本体無線通信部９へ送信する制御を行う。
【０１５５】
このように、リモコン無線通信部８の制御回路２０は、本体無線通信部９が十分な電界強度の無線信号Ｓ１を受信できなかったときに送信するアンテナ切替命令を受信したときに、無線通信に用いるアンテナを切替えて無線信号Ｓ１を送信する制御を行う。
【０１５６】
これにより、リモコン装置２から洗浄便座装置１へ確実に無線信号Ｓ１を送信することができる。
【０１５７】
また、利用者がリモコン装置２を手にとって操作したことにより、リモコン装置２と洗浄便座装置１との位置関係が変化して、本体無線通信部９が十分な電界強度の無線信号Ｓ１を受信できなくなったとしても、リモコン無線通信部８は、本体無線通信部９から送信されるアンテナ切替命令に従って、その都度アンテナを切替えて無線信号Ｓ１を送信するため、リモコン装置２と洗浄便座装置１との間で、常に良好な無線通信を行うことができる。
【０１５８】
（第５実施形態）
第５実施形態において、リモコン無線通信部８は、第４実施形態に記載のリモコン無線通信部８と同様の構成とするが、本体無線通信部９は、その構成が異なる。
【０１５９】
すなわち、この本体無線通信部９は、図９に示すように、第４実施形態に記載の本体無線通信部９に加えて、本体側アンテナＡｂと、スイッチ回路１５aを備えている。
【０１６０】
なお、以下の説明では、本体側アンテナＡａを本体側第１アンテナＡａと称し、本体側アンテナＡｂを本体側第２アンテナＡｂと称して説明する。
【０１６１】
そして、この本体無線通信部９の制御回路２１は、リモコン無線通信部８の制御回路２０と同様に本体無線通信部９のスイッチ回路１５aを駆動させて、本体側第１アンテナＡａと本体側第２アンテナＡｂとを切替え可能に無線送信回路１１aに接続する制御を行う。
【０１６２】
なお、以下の説明では、第４実施形態に記載のリモコン無線通信部８及び本体無線通信部９と同様の構成要素に関しては、同一の符号を付することによりその説明を省略する。
【０１６３】
このリモコン無線通信部８及び本体無線通信部９は、図１０のタイミングチャートに示すように動作する。
【０１６４】
すなわち、利用者によりリモコン装置２の操作ボタンが操作されると、リモコン無線通信部８の制御回路２０は、第１のアンテナＡ１を選択する。すなわち、リモコン無線通信部８のスイッチ回路１５を駆動さて、無線送信回路１１と第１のアンテナＡ１とを接続する制御を行う。
【０１６５】
そして、リモコン無線通信部８の無線送信回路１１は、リモコン制御回路１４の制御に従って、無線信号Ｓ１を第１のアンテナＡ１を介して本体無線通信部９へ送信する。
【０１６６】
このとき、リモコン無線通信部８の無線送信回路１１は、同一の無線信号Ｓ１を所定のタイミングで５回繰り返して送信する。
【０１６７】
本体無線通信部９は、予め本体無線通信部９の無線受信回路１２aに接続しておいた本体側第１アンテナＡａを介してこの無線信号Ｓ１を受信する。
【０１６８】
その後、本体無線通信部９の制御回路２１は、受信した無線信号Ｓ１の電界強度の値と閾値とを比較する制御を行う。
【０１６９】
ここで、図１０に示すように、無線信号Ｓ１の電界強度の値が閾値よりも高いため、本体無線通信部９の制御回路２１は、十分な電界強度の無線信号Ｓ１を受信できたと判断し、リモコン無線通信部８に確認信号を無線信号Ｓ２として送信する制御を行う。
【０１７０】
リモコン無線通信部８の制御回路２０は、この確認信号をリモコン無線通信部８の無線受信回路１２により受信し、リモコン無線通信部８の受信信号強度検出回路１３により確認信号の電界強度を検出し、この電界強度の値と予め設定しておいた閾値とを比較する。
【０１７１】
ここでは、図１０に示すように、確認信号の電界強度の値が閾値よりも低いため、リモコン無線通信部８の制御回路２０は、十分な電界強度の確認信号をできなかったと判断し、再度同一の無線信号Ｓ１を５回繰り返し送信する制御を行う。
【０１７２】
そして、リモコン無線通信部８の制御回路２０は、５回繰り返して無線信号Ｓ１を送信する制御を３回連続して行っても、本体無線通信部９からの確認信号を受信できなかったときに、本体無線通信部９に対してアンテナ切替命令を送信する制御を行う。
【０１７３】
本体無線通信部９では、本体無線通信部９の無線受信回路１２aによりこのアンテナ切替命令を受信して本体無線通信部９の制御回路２１に入力する。
【０１７４】
その後、本体無線通信部９の制御回路２１は、スイッチ回路１５aを駆動させて、本体無線通信部９の無線送信回路１１aに接続している本体側第１アンテナＡａに換えて、本体側第２アンテナＡｂを選択し、本体無線通信部９の無線送信回路１１aに接続する制御を行う。
【０１７５】
そして、本体無線通信部９は、この本体側第２アンテナＡｂを介してリモコン無線通信部８へ確認信号を送信する。
【０１７６】
このように、第５実施形態では、本体無線通信部９がリモコン無線通信部８からの無線信号Ｓ１を正常に受信できているにも関わらず、リモコン無線通信部８が本体無線通信部９からの確認信号を正常に受信できない場合に、本体無線通信部９のアンテナを切替えて確認信号を送信するようにしている。
【０１７７】
これにより、リモコン無線通信部８が不必要に無線信号Ｓ１を送信し続けることを防止することができるので、リモコン装置２のバッテリーの無駄な消耗抑制することができる。
【０１７８】
以上のように、第１〜第４実施形態に記載のトイレ機器システムＳにおいて、リモコン無線通信部８は、内部に設けた制御回路２０の制御により、第１のアンテナＡ１と第２のアンテナＡ２とを切替えながら、いずれか一方のアンテナを選択して無線送信回路１１に接続し、無線信号Ｓ１送信するので、洗浄便座装置１とリモコン装置２との位置関係を考慮することなく、利用者が操作しやすい任意の位置にリモコン装置２を取付けても良好な無線通信を行うことができ、洗浄便座装置１の各種機能を正常に作動させることができる。
【０１７９】
また、第５実施形態に記載のトイレ機器システムＳでは、本体無線通信部９に２本の本体側アンテナＡａ、Ａｂと、スイッチ回路１５aとを設けたことによって、リモコン装置２と洗浄便座装置１との相互間で、より確実な無線通信を行うことができる。
【０１８０】
また、本実施形態では、リモコン無線通信部８に第1のアンテナＡ１と第２のアンテナＡ２という２本のアンテナを設けた場合を例に挙げて説明しているが、本発明はこれに限定されることなく、２本以上の複数本のアンテナをリモコン無線通信部８に設けることができ、例えば図１１に示すように第１〜第４のアンテナＡ１〜Ａ４を設けることも可能である。
【０１８１】
同様に、本体無線通信部９にも本体側第１アンテナＡａ、本体側第２アンテナＡｂ、本体側第３アンテナＡｃ、本体側第４アンテナＡｄといった複数本のアンテナを設けることも可能である。
【０１８２】
このように、リモコン無線通信部８と本体無線通信部９とのそれぞれに複数本のアンテナを設けることにより、無線通信に使用するアンテナの選択肢が増加するので、リモコン装置２の設置位置の自由度を拡張することができ、さらに良好な無線通信を行うことができる。
【０１８３】
また、リモコン無線通信部８と本体無線通信部９とのそれぞれに設けた制御回路２０、２１により各アンテナを順次切替制御しながら、互いにアンテナ切替命令とアンテナ指定命令とを送受信させれば、より通信に最適なアンテナを選択することが可能となり、リモコン無線通信部８と本体無線通信部９との間における無線信号Ｓ１、Ｓ２の送受信精度を向上させることができる。
【０１８４】
上記のように、リモコン装置２に４本のアンテナＡ１〜Ａ４を設ける場合には、図１２に示すように、リモコン装置２内部の基板１８の四隅近傍に配置することが望ましい。
【０１８５】
このように、基板１８の四隅近傍に第１〜第４のアンテナＡ１〜Ａ４を配置することにより、リモコン装置２という限られたスペースの中で最大限に各アンテナ間の距離を離隔させることができる。
【０１８６】
これにより、リモコン装置２に設ける各アンテナＡ１〜Ａ４と、洗浄便座装置１に設けるアンテナＡａとのそれぞれの距離を可及的に異なるように設定することができるようになり、各アンテナＡ１〜Ａ４と無線送信回路１１との接続を切替えるだけで、リモコン装置２の設置位置とは無関係に良好な無線通信を行うことができる。
【０１８７】
また、本発明の第１〜第５実施形態においては、トイレ機器システムＳについて説明したがこれに限られず、リモコン装置２によって遠隔的に制御できる電子機器であれば、浴室機器システムのようなものであっても構わない。
【０１８８】
以下、本発明の第６実施形態として、本発明を浴室機器システムに適用した場合について、簡単に説明する。
（第６実施形態）
図１３は、浴室に設置された浴室乾燥機及びそれを制御するリモコン装置からなる浴室機器システムを示す図である。
【０１８９】
浴室機器システムは、図１３に示すように、乾燥機本体１０１及び通風ダクト１０２などを有する浴室乾燥機１００と、この乾燥機本体１０１を制御するため、浴室の壁面１３０に取り付けられたリモコン装置１２０とから構成される。なお、図１３中の符号１１２は、浴槽である。
【０１９０】
そして、リモコン装置１２０から乾燥機本体１０１を制御することによって、乾燥機本体１０１から乾燥風を吐出させ、物干し棒１１０に掛けられた衣服１１１を乾燥させる。
【０１９１】
ここで、浴室乾燥機１００を動作させる場合には、リモコン装置１２０から乾燥機本体１０１へ所定の無線信号を送信する必要がある。
【０１９２】
しかし、図１３に示すように、浴室内に物干し棒１１０を設置し、この物干し棒１１０に乾燥させたい衣服１１１を掛けた際に、この物干し棒１１０やハンガーにより無線信号の伝搬が妨げられる場合がある。
【０１９３】
このような場合であっても、この浴室機器システムのリモコン装置１２０を、上述したトイレ機器システムのリモコン装置２と同様のリモコン装置により構成すれば、乾燥機本体１０１が常に無線信号を受信できるようになる。
【０１９４】
すなわち、浴室機器システムのリモコン装置１２０に、複数本のアンテナを設けるとともに、これらのアンテナを順次切替えて送信に最適なアンテナを選択し、そのアンテナを用いて無線信号の送信を行うようにすれば、物干し棒１１０の設置位置やハンガーの配置位置とは無関係に、乾燥機本体１０１が常に無線信号を受信できるようになる。
【図面の簡単な説明】
【０１９５】
【図１】トイレブースに設置された本発明の実施形態に係る洗浄便座装置及びそれを制御するリモコン装置を示す斜視図である。
【図２】第１及び第２実施形態の無線通信装置を示すブロック図である。
【図３】リモコン装置内部の基板上におけるアンテナの配置位置を示す説明図である。
【図４】第１実施形態の無線通信装置の動作を示すタイミングチャートである。
【図５】第２実施形態の無線通信装置の動作を示すタイミングチャートである。
【図６】第３及び第４実施形態の無線通信装置を示すブロック図である。
【図７】第３実施形態の無線通信装置の動作を示すタイミングチャートである。
【図８】第４実施形態の無線通信装置の動作を示すタイミングチャートである。
【図９】第５実施形態の無線通信装置を示すブロック図である。
【図１０】第５実施形態の無線通信装置の動作を示すタイミングチャートである。
【図１１】第５実施形態の無線通信装置の変形例を示すブロック図である。
【図１２】リモコン装置内部の基板上におけるアンテナの配置位置を示す説明図である。
【図１３】浴室に設置された本発明の実施形態に係る浴室乾燥機及びそれを制御するリモコン装置からなる浴室機器システムを示す図である。
【符号の説明】
【０１９６】
Ｓ  トイレ機器システム
Ａ１  第１のアンテナ
Ａ２  第２のアンテナ
１  洗浄便座装置１
２  リモコン装置
３  便器
４  洗浄便座本体
５  便座
６  便蓋
７  トイレブースの壁面
８  リモコン無線通信部
９  本体無線通信部
１０  整合回路
１０a  整合回路
１１  無線送信回路
１１a  無線送信回路
１２  無線受信回路
１２a  無線受信回路
１３  受信信号強度検出回路
１３a  受信信号強度検出回路
１４  リモコン制御回路
１５  スイッチ回路
１５a  スイッチ回路
１６  スイッチ制御回路
１８  基板
１９  本体コントローラ
２０  リモコン無線通信部の制御回路
２１  本体無線通信部の制御回路
１００  浴室乾燥機
１２０  リモコン装置
【図１】
2006229317.tif 000003
【図２】
2006229317.tif 000004
【図３】
2006229317.tif 000005
【図４】
2006229317.tif 000006
【図５】
2006229317.tif 000007
【図６】
2006229317.tif 000008
【図７】
2006229317.tif 000009
【図８】
2006229317.tif 000010
【図９】
2006229317.tif 000011
【図１０】
2006229317.tif 000012
【図１１】
2006229317.tif 000013
【図１２】
2006229317.tif 000014
【図１３】
2006229317.tif 000015